(57)【要約】【課題】ゴキブリ等の害虫の進入を阻止し、尿、糞による基板パターンのショートなどによる発煙故障等が生じることのない炊飯器を提供すること。【解決手段】上部が開口し内鍋２が着脱自在に収容される本体１と、本体１の開口部を覆う蓋体３０と、内鍋２を加熱する加熱手段１０と、加熱手段１０を制御する制御部を有する制御基板１５と、冷却ファン１８により吸入された外気により制御基板１５を冷却する放熱器２０と、吸気口９ａと排気口９ｂとを有し、冷却ファン１８により外気を吸気口９ａから吸入して制御基板１５や加熱手段１０を冷却したのち排気口９ｂから排気する冷却用の風路１７とを備え、吸気口９ａ及び排気口９ｂの両者またはいずれか一方に、害虫の侵入を防止する侵入防止部材５０、５３を取り付けた。【選択図】図１
2011015842.tif 000002
【特許請求の範囲】
【請求項１】
上部が開口し内鍋が着脱自在に収容される本体と、前記本体の開口部を覆う蓋体と、前記内鍋を加熱する加熱手段と、前記加熱手段を制御する制御部を有する制御基板と、冷却ファンにより吸入された外気により前記制御基板を冷却する放熱器と、吸気口と排気口とを有し、前記冷却ファンにより外気を吸気口から吸入して前記制御基板や加熱手段を冷却したのち排気口から排気する冷却用の風路とを備え 、
前記吸気口及び排気口の両者またはいずれか一方に、害虫の侵入を防止する侵入防止部材を取り付けたことを特徴とする炊飯器。
【請求項２】
前記吸気口及び排気口を前記本体の底板に設け、前記吸気口は前記制御基板の下側に形成されたことを特徴とする請求項１記載の炊飯器。
【請求項３】
前記本体の電源コードの引出し口に、害虫の侵入を防止する侵入防止部材を取り付けたことを特徴とする請求項１または２記載の炊飯器。
【請求項４】
前記侵入防止部材を、害虫の侵入を防止する大きさの複数の穴を有する板材で形成したことを特徴とする請求項１〜３のいずれかに記載の炊飯器。
【請求項５】
前記板材を複数の穴を有する板金で形成したことを特徴とする請求項４記載の炊飯器。
【請求項６】
前記板材を網状の部材で形成したことを特徴とする請求項４記載の炊飯器。
【請求項７】
前記板材を前記本体に着脱自在に取り付けたことを特徴とする請求項４〜６のいずれかに記載の炊飯器。
【請求項８】
前記吸気口および排気口の開口縁部に引掛け部が設けられ、前記板材の縁部を前記引掛け部に係止し、前記底板の下面に沿ってほぼ平行に移動させて着脱させるようにしたことを特徴とする請求項７記載の炊飯器。
【請求項９】
前記板材を前記本体の底板に外側からねじ止めして着脱可能に取り付けたことを特徴とする請求項７記載の炊飯器。
【発明の詳細な説明】
【技術分野】
【０００１】
本発明は炊飯器に係り、より詳しくは、本体内にゴキブリ等の害虫の侵入を防止することができる炊飯器に関するものである。
【背景技術】
【０００２】
炊飯器は一般に、発熱素子が搭載された制御基板を冷却するために、冷却ファンによって本体に設けた吸気口から外気を吸入し、制御基板を冷却したのち排気口から排気するようにしている。このため、吸気口や排気口から本体内にゴキブリ等の害虫が進入し、ゴキブリ等の尿、糞による基板パターンのショートなどにより、発煙故障等が発生することがあった。
【０００３】
従来の炊飯器に、外枠、底板、外蓋などの本体や蓋体の外郭を形成する部材を、プラスチック材料によって形成し、このプラスチック材料にゴキブリ等の害虫を忌避する作用を有する任意の粉末を含有させたものがある。また、害虫忌避粉末を含有する部材を炊飯器の内部に直接に固定したものがある（例えば、特許文献１参照）。
【先行技術文献】
【特許文献】
【０００４】
【特許文献１】特開２０００−０７０１４５号公報（第８頁、図１）
【発明の概要】
【発明が解決しようとする課題】
【０００５】
特許文献１の炊飯器は、本体や蓋体の外郭を形成する部材をプラスチック材料で形成し、これにゴキブリ等の害虫を忌避する作用を有する任意の粉末を含有させているが、ベース部材であるプラスチック材料の機械的な強度が低下したり、耐熱性が低下したりする場合があった。また、害虫忌避粉末を含有する部材を直接に炊飯器の内部に固定した場合は、固定部材の交換が困難であった。
【０００６】
本発明は上記の課題を解決するためになされたもので、ベース部材の機械的な強度低下や耐熱性の低下が生じることがなく、また害虫忌避粉末を含有する部材を内部に固定する必要もなく、ゴキブリ等の害虫の本体内への侵入を阻止し、尿、糞による基板パターンのショートなどにより発煙故障等が生じることがない炊飯器を提供することを目的とする。
【課題を解決するための手段】
【０００７】
本発明に係る炊飯器は、上部が開口し内鍋が着脱自在に収容される本体と、本体の開口部を覆う蓋体と、内鍋を加熱する加熱手段と、加熱手段を制御する制御部を有する制御基板と、冷却ファンにより吸入された外気により制御基板を冷却する放熱器と、吸気口と排気口とを有し、冷却ファンにより外気を吸気口から吸入して制御基板や加熱手段を冷却したのち排気口から排気する冷却用の風路とを備え 、吸気口及び排気口の両者またはいずれか一方に忌避効果を有し害虫の侵入を防止する侵入防止部材を取り付けたものである。
【発明の効果】
【０００８】
本体の吸、排気口等にゴキブリ等の害虫の侵入防止部材を設けて、炊飯器の本体内にゴキブリが侵入できないようにしたので、ゴキブリ等の糞、尿などによる基板パターンのショート等による発煙故障等を防止することができる。
【図面の簡単な説明】
【０００９】
【図１】本発明の一実施の形態に係る炊飯器の縦断面図である。
【図２】図１の下面図である。
【図３】図１の底板近傍の縦断面図である。
【図４】図２の吸気口側に取り付けられ侵入防止部材の下面図およびその側面図である。
【図５】図２の排気口側に取り付けられ侵入防止部材の下面図およびその側面図である。
【発明を実施するための形態】
【００１０】
本発明の一実施の形態に係る炊飯器を示す図１〜図３において、炊飯器本体１（以下、単に本体という）内には上から着脱自在に収容される内鍋２が設けられている。この内鍋２は有底筒状に形成され、内部に米と水が収容される。
【００１１】
本体１の外面には、これと一体に結合され、上部に開口部を有する環状の上枠４が設けられており、その内部には筒状の内遮蔽板５とその下に設けられたほぼ深皿状のコイル台６とからなる内鍋収納部７が設けられている。そして、内遮蔽板５の外面にはこれに密着して加熱手段である胴ヒータ５ａが取付けられ、炊飯時及び保温時に通電されて発熱する。また、コイル台６の外面（底部およびコーナ部）には誘導加熱コイル１０が巻き付けられて固定されており、通電により交番磁界を発生し、内鍋２を電磁誘導により加熱する。また、コイル台６の中心部には、内鍋２の底部に当接して内鍋２の温度を検知する温度センサ１１が設けられている。なお、本体１の側面部は筒状の外枠８によって構成され、上枠４と底板９との間に挟持されて固定されている。
【００１２】
本体１の前面側には基板ホルダ１２が設けられており、その上部には操作基板取付部１３が設けられ、操作基板１４が傾斜して取り付けられている。また、操作基板１４の上方には操作パネル２１が設けられ、メニュー等の選択と炊飯ボタン等のスイッチを備えている。そして、基板ホルダ１２には、内鍋収納部７に近接して、制御部を有する制御基板１５が取り付けられており、さらに、基板ホルダ１２の下部は下方に延設されて制御基板１５と外枠８との間を仕切る仕切り板１６が形成され、仕切り板１６と制御基板１５との間には吸気風路１７が形成されている。
【００１３】
制御基板１５には発熱素子１５ａが搭載されており、また、所定の間隔で整列された複数のフィン２０ａを有する放熱器２０が冷却ファン１８の排気側に対向して搭載され、フィン２０ａは冷却ファン１８の吐出側において上下方向にほぼ平行して配設されている。また、底板９の前部側には吸気口９ａが設けられ、吸気口９ａに臨んで、吸気風路１７内には冷却ファン１８が設置されている。なお、吸気口９ａには、これを外部（底板９の下側）から着脱自在に覆ってゴキブリ等の害虫の侵入を防ぐための忌避効果を有する侵入防止部材である吸気側板金５０が取り付けられている（後に詳述する）。
【００１４】
底板９の後部側には排気口９ｂが設けられており、また本体１の後部側には電源コード、電源プラグを有するコードリール２２が縦方向に設置され、底板９には炊飯器を支持するための脚部２３（前側脚部２３ａ、後側脚部２３ｂ）が前後にそれぞれ２箇所設けられている。 なお、排気口９ｂにはこれを外部（底板９の下側）から着脱自在に覆ってゴキブリ等の害虫の侵入を防ぐための侵入防止部材である排気側板金５３が取り付けられており（後に詳述する）、また、コードリール２２の電源コードの引出し口にも、これを着脱自在に覆ってゴキブリ等の害虫の侵入を防ぐための忌避効果を有する侵入防止部材であるコード側板金（図示せず）が取り付けられている。
【００１５】
内鍋２の上面開口部は蓋体３０により開閉自在に覆われており、蓋体３０の後端部は本体１の上部後側にヒンジ３１により開閉自在に支持されている。この蓋体３０は、上面を形成する上蓋３０ａと、上蓋３０ａの下側に固定された下蓋３０ｂとを有している。そして、蓋体３０の前部は、上枠４（後述）に設けた係止ボタン３により係止される。
【００１６】
蓋体３０の上部には、内鍋２内に連通し、内鍋２内で発生したおねばと蒸気を分離し、蒸気を外方へ排出するためのおねばカートリッジ（蒸気通路体）４０が着脱可能に装着され、蓋体３０の下面には蒸気孔を有し内鍋２の上面開口部を覆う内蓋３２が着脱自在に装着されている。
【００１７】
おねばカートリッジ４０は、上蓋３０ａに形成された上面を開口した凹部内に着脱可能に取り付けられており、下ケース（蒸気通路本体）４０ａと上ケース（蒸気通路カバー）４０ｂとからなり、これらが上下一体となって蒸気通路を有する蒸気排出装置を構成する。下ケース４０ａは、ほぼ漏斗状に形成され、ほぼ中央におねば戻しタンク（タンク部）４１が設けられており、その底壁には内鍋２内におねばを戻すための戻し弁（図示せず）を備えた穴部４２が設けられている。おねば戻しタンク４１にはその垂直壁の後側の壁面に沿って内鍋２内からの蒸気が流入する導入筒４３が立設されている。
そして、上ケース４０ｂと下ケース４０ａとは、複数の障壁によって区画されるおねば分離空間が形成されて、導入筒４３から導入されたおねばと蒸気とを分離する。
【００１８】
次に、図４、図５を参照して忌避効果を有する侵入防止部材である吸気側板金５０、排気側板金５３およびコード側板金（図示せず）について詳述する。
図２に示すように、底板９の前部に設けられた吸気口９ａの両側には、前側脚部２３ａが設けられている。そして、吸気口９ａには、空気を吸い込む小穴５１が複数設けられて、吸気口９ａを外部（底板９の下側）から着脱自在に覆う吸気側板金５０が取り付けられている。この吸気側板金５０に設けられた小穴５１は、例えば、長辺を前後方向（図２の左右方向）に配向するほぼ長方形状をなし、幅方向（図２の上下方向）に一定間隔で複数形成され、さらにこの小穴群が前後方向（図２の左右方向）に３列形成されている。
【００１９】
吸気口９ａはその開口縁部にほぼＬ字状の引掛け部９０ａが所定の間隔で複数設けられており、吸気側板金５０を底板９に沿ってほぼ平行にスライドさせ（図２のイ方向 ）、引掛け部９０ａに係止して底板９に自在に着脱できるようにしてある。この引掛け部９０ａは、例えば、吸気口９ａの前面側に１箇所設けられ、両側面に２箇所づつ設けられている。
そして、吸気側板金５０には、引き抜き側（図２の右側）の縁部５０ａのほぼ中央部に、下方（図２の手前側）にほぼ直角に折り曲げられたつまみ部５２が設けられており（図４参照）、このつまみ部５２を把持して吸気口９ａの引掛け部９０ａに着脱して、抜き差しきるようにしてある。
【００２０】
また、底板９の後部に設けられた排気口９ｂの前側の両側近傍には、後側脚部２３ｂが設けられている。そして、排気口９ｂには、これよりも幅広で、空気を通すがゴキブリ等の害虫が本体１内に侵入するのを防ぐ大きさの小穴５４が複数設けられて、排気口９ｂを外部（底板９の下側）から着脱自在に覆う排気側板金５３が取り付けられている。この排気側板金５３に設けられた小穴５４は、例えば、長辺を前後方向（図２の左右方向）に配向するほぼ長方形状をなし、幅方向（図２の上下方向）に一定間隔で複数形成されている。
【００２１】
排気口９ｂはその開口縁部にほぼＬ字状の引掛け部９０ｂが所定の間隔で設けられ、排気側板金５３を底板９に沿ってほぼ平行にスライドさせ（図２のロ方向）、掛け部９０ｂに係止して底板９に自在に着脱できるようにしてある。この引掛け部９０ｂは、例えば、排気口９ｂの前面側に４箇所設けられ、後面側に３箇所設けられている。そして、排気側板金５３には、引き抜き側（図２の上側）の縁部５３ａのほぼ中央部に、下方（図２の手前側）にほぼ直角に折り曲げられたつまみ部５５が設けられており（図５参照）、このつまみ部５５を把持して排気口９ｂの引掛け部９０ｂに着脱して、抜き差しできるようにしてある。
【００２２】
さらに、コードリール２２の電源コードの引出し口には、ゴキブリ等の害虫が本体１内に侵入するのを防ぐ大きさの小穴が複数設けられて、引出し口を着脱自在に覆うコード側板金が取り付けられている（図示せず）。
【００２３】
上記の説明では、侵入防止部材である吸気側板金５１、排気側板金５３およびコード側板金（図示せず）を金属板によって形成した場合を示したが、金属板に限定するものではない。また、侵入防止部材を複数の小穴を有する板金によって形成した場合を示したが、網状の部材によって形成してもよい。
さらに、吸気口９ａおよび排気口９ｂは、その開口縁部にほぼＬ字状の引掛け部９０ａ、９０ｂが設けられ、吸気側板金５１を引掛け部９０ａに、排気側板金５３を引掛け部９０ｂに係止して底板９に沿ってほぼ平行にスライドして着脱できるようにした場合を示したが、吸気側板金５１および排気側板金５３を底板９の下側よりそれぞれ吸気口９ａおよび排気口９ｂを覆うようにしてねじ止めするなど、他の手段により着脱可能に取り付けるようにしてもよい。
【００２４】
上記のように構成した本発明の作用を説明する。炊飯を行う場合、まず、所定量の米と水を入れた内鍋２を本体１内に収容して蓋体３０を閉める。ついで、炊飯器の電源を入れて、本体１の前面側に設けられた操作パネル２１の炊飯キーを押下すると、本体１内に設けられた制御基板１５の制御部は、誘導加熱コイル１０に通電して内鍋２の底面に渦電流を発生させ、内鍋２を発熱させて炊飯工程を開始する。炊飯中、温度センサ１１が内鍋２の温度を検知しており、この検知温度に基づいて制御部は誘導加熱コイル１０への通電を制御し、予熱、炊飯、むらしの各工程を実行して内鍋２内の米を炊きあげる。
【００２５】
一方、炊飯工程が開始されると、冷却ファン１８に通電され、これを駆動して、底板９に設けた吸気口９ａから外気を吸い込む。すなわち、外気は、吸気口９ａに設けた吸気側板金５０の小穴５１を通って冷却ファン１８を通過し、放熱器２０のフィン２０ａに沿って流れて、吸気口９ａの上側に位置する制御基板１５上の発熱素子１５ａ等を冷却し、さらに本体１の下部を流動して誘導加熱コイル１０等を冷却し、これらの表面温度を下げて、排気口９ｂに設けた吸気側板金５３の小穴５４を通って本体１の外部に排出される。
【００２６】
上記の炊飯工程で内鍋２内の米等が沸騰すると、おねばカートリッジ４０は、内鍋２の内圧の上昇により発生するおねばと蒸気とを、内蓋３２の蒸気孔を介して内鍋２内に連通した導入筒４３から導入する。そして、おねばと蒸気とをおねば分離空間で分離し、蒸気のみを蒸気口から蓋体３０の外方に排出して、残ったおねばをおねば戻しタンク４１に貯め、沸騰がおさまり内鍋２の内圧が低下した際に、戻し弁を備えた穴部４２からおねばを内鍋２内に戻す。
【００２７】
そして、炊飯工程が終了すると制御部によって保温工程に移行し、胴ヒータ５ａ等が発熱して内釜２内の米飯を保温する。
【００２８】
吸気口９ａから本体１内に侵入しようと吸気口９ａに近付いたゴキブリ等の害虫は、忌避効果を有する吸気側板金５０により侵入を阻止され、排気口９ｂから本体１内に侵入しようと排気口９ｂに近付いたゴキブリ等の害虫は、排気側板金５３により侵入を阻止される。また、コードリール２２の電源コードの引出し口から本体１内に侵入しようとするゴキブリ等の害虫は、コード側板金により侵入を阻止される。
【００２９】
本発明によれば、炊飯器の本体１の吸気口９ａや、排気口９ｂや、コードリール２２の電源コードや電源プラグの入口部等に、ゴキブリ等の害虫の侵入を阻止する忌避効果を有する侵入止部材（吸気側板金５０、排気側板金５３、コード側板金等）を着脱自在に取り付けたので、本体１内にゴキブリ等の害虫が侵入するのを確実に防止することができ、これによりゴキブリ等の害虫を寄せ付けず、ゴキブリの糞、尿などによる基板パターンのショートのような発煙故障などの発生を防ぐことができる。
【００３０】
また、侵入防止部材５０、５３を本体１に着脱自在に取付けるようにしたので、侵害防止部材５０、５３が汚れたり、小穴５１、５４が塵埃で塞がれたりした場合は、取外して簡単に清掃することができる。
こうして、従来のように、プラスチックのようなベース部材にゴキブリ等の害虫を忌避する粉末を含有させて機材の機械的な強度低下や耐熱性の低下を生じさせることもなく、また、着脱が困難な害虫忌避粉末を含有する部材を内部に固定する必要もない。
【００３１】
上記の説明では、図示の炊飯器に本発明を実施した場合を示したが、これに限定するものではなく、他の構造の炊飯器にも本発明を実施することができる。
【符号の説明】
【００３２】
１  本体（炊飯器本体）、２  内鍋、９  底板、９ａ  吸気口、９ｂ  排気口、１０  誘導加熱コイル（加熱手段）、１５  制御基板、１５ａ  発熱素子、１７  吸気風路、１８  冷却ファン、２０  放熱器、２０ａ  フィン、２２  コードリール、３０  蓋体、５０  吸気側板金（侵入防止部材）、５１、５４  小穴、５３  排気側板金（侵入防止部材）、９０ａ、９０ｂ  Ｌ字状の引掛け部（引掛け部）。
【図１】
2011015842.tif 000003
【図２】
2011015842.tif 000004
【図３】
2011015842.tif 000005
【図４】
2011015842.tif 000006
【図５】
2011015842.tif 000007